(57)【特許請求の範囲】
【請求項１】
コ字型のヨークと、ヨークの解放端面間の杆部に基端が固定された固定鉄芯と、固定鉄芯に挿通されたコイルが巻かれたボビンと、固定鉄心の柱部に嵌合されてヨークの開放端側のボビンの端面とこれと面向する固定鉄芯の他面フランジ部との間に挟持されたリング部及びリング部から間歇的に傾斜して拡開するように延びた片状部を有する弾性体の消音材と、固定鉄芯に対し吸引動作されてヨークの解放端面に当接される可動板とでなるソレノイドにおいて、前記固定鉄芯の他端フランジ部をヨークの解放端面と面一またはヨーク解放端面から後退位置させ、それによりヨークの解放端面と固定鉄芯の他端フランジ部との間に、可動板の吸引動作により可動板側に突出されている消音材の片状部を弾性変形して退避させる収容空間を設け、また消音材の片状部間のリング部にボビンの端面上に張出す張出し部を設け、この張出し部に係合孔を設けてこの係合孔にボビンの端面に突設した係合突起を嵌入せしめて消音材を位置決めしたことを特徴とするソレノイド。
【発明の詳細な説明】
【技術分野】
【０００１】  本発明は、自動車のシフトロック機構等に組込まれるフラッパータイプのソレノイドに係る技術分野に属する。
【背景技術】
【０００２】  一般的に、フラッパータイプのソレノイドは、コイルが巻かれたボビンに挿通されてヨークに固定された固定鉄心に対して板形の可動板が吸引動作されるように構成されている。このフラッパータイプのソレノイドでは、動作に伴う固定鉄心，可動板の衝突音の減衰が切望されている。【０００３】  従来、固定鉄心，可動板の衝突音の減衰を指向したフラッパータイプのソレノイドとしては、例えば、以下に記載のものが知られている。
【特許文献１】  実開昭６３−１５００９号公報
【特許文献２】  実開平４−１３４８０６号公報  特許文献１，２には、固定鉄心，可動板の間に弾性材料からなる消音材を介装してなるソレノイドが記載されている。
【発明の開示】
【発明が解決しようとする課題】
【０００４】  特許文献１，２に係るソレノイドでは、固定鉄心，可動板の間に介装された消音材を緩衝材として固定鉄心，可動板の衝突を回避する構成であることから、消音材の経年劣化によって可動板の吸引による停止位置が変化してしまうため、長期に高度の動作精度を維持することができないという問題点がある。【０００５】  本発明は、このような問題点を考慮してなされたもので、長期に高度の動作精度を維持することができるとともに固定鉄心，可動板の衝突音を減衰することのできるソレノイドを提供することを課題とする。
【課題を解決するための手段】
【０００６】  前述の課題を解決するため、本発明に係るソレノイドは、特許請求の範囲の請求項に記載の手段を採用する。【０００７】即ち、請求項１のように、コ字型のヨークと、ヨークの解放端面間の杆部に基端が固定された固定鉄芯と、固定鉄芯に挿通されたコイルが巻かれたボビンと、固定鉄心の柱部に嵌合されてヨークの開放端側のボビンの端面とこれと面向する固定鉄芯の他面フランジ部との間に挟持されたリング部及びリング部から間歇的に傾斜して拡開するように延びた片状部を有する弾性体の消音材と、固定鉄芯に対し吸引動作されてヨークの解放端面に当接される可動板とでなるソレノイドにおいて、前記固定鉄芯の他端フランジ部をヨークの解放端面と面一またはヨーク解放端面から後退位置させ、それによりヨークの解放端面と固定鉄芯の他端フランジ部との間に、可動板の吸引動作により可動板側に突出されている消音材の片状部を弾性変形して退避させる収容空間を設け、また消音材の片状部間のリング部にボビンの端面上に張出す張出し部を設け、この張出し部に係合孔を設けてこの係合孔にボビンの端面に突設した係合突起を嵌入せしめて消音材を位置決めしたことを特徴とする。【０００８】  この手段では、消音材を収容空間に退避させてコ字形のヨークの開放端面に可動板を当接させることで、可動板の吸引による停止位置の精度を保障する。また、収容空間に退避する消音材の弾性変形で可動板の吸引速度を抑制することで、固定鉄心（ヨーク），可動板の衝突の衝撃を減衰する。【０００９】また、消音材の片状部間へのリング部にボビンの端面上に張出す張出し部を設けて、この張出し部の係合孔にボビンの端面に設けた係合突起を嵌入せしめることにより消音材の位置ずれを防止している。【００１０】
【００１１】
【００１２】
【００１３】
【００１４】
【発明の効果】
【００１５】  本発明に係るソレノイドは、消音材を収容空間に退避させてヨークの開放端面に可動板を当接させることで、可動板の吸引による停止位置の精度を保障するため、長期に高度の動作精度を維持することができる効果がある。また、収容空間に退避する消音材の弾性変形で可動板の吸引速度を抑制することで、固定鉄心（ヨーク），可動板の衝突の衝撃を減衰するため、固定鉄心（ヨーク），可動板の衝突音を減衰することができる効果がある。【００１６】
【００１７】さらに、収容空間に退避する消音材の片状部が大きな曲げ変形での弾性変形となるため、固定鉄心（ヨーク），可動板の衝突音がより確実に減衰される効果がある。【００１８】さらに、ボビンの端面上に消音材の張出し片を張出させて、これにボビンの端面に設けた係合突起を嵌入させる手段で消音材の位置ずれを防止させているため、消音材を適正位置で弾性変形させることができ、固定鉄心（ヨーク）、可動板の衝突音をより確実に減衰させる効果がある。
【発明を実施するための最良の形態】
【００１９】  以下、本発明に係るソレノイドを実施するための最良の形態を図面に基づいて説明する。【００２０】  この形態では、図１に示すように、コイル１が巻かれたボビン２に挿通されてヨーク３に固定された固定鉄心４に対して板形の可動板５が吸引動作されるフラッパータイプの一般的な構成が採用されている。【００２１】  この形態のヨーク３は、基部３１の両端に起立部３２が平行に設けられたコ字形に形成されている。即ち、このヨーク３には、起立部３２の端面である開放端面３３が一定の間隔を介して並列されていることになる。そして、固定鉄心４は、ヨーク３の開放端面３３と面一または開放端面３３から後退して配置されている。従って、吸引された可動板５は、ヨーク３の並列された開放端面３３に当接すること（または、さらに固定鉄心４に当接すること）で停止することになる。【００２２】  固定鉄心４は、軸長の大部分がボビン２に挿通される柱部４１と、ボビン２から可動板５側に突出したフランジ部４２と、ボビン２から可動板５側の反対側に突出してヨーク３の基部３１に嵌合された嵌合部４３とからなる。従って、ボビン２は、ヨーク３の開放端面３３から後退し、さらに固定鉄心４のフランジ部４２と柱部４１の一部分との軸長分が後退して配置されることになる。この結果、図１に示すように、ボビン２の可動板５側の固定鉄心４周りに環状に収容空間６が確保される。【００２３】  収容空間６には、シリコンゴム等の弾性材料からなる消音材７が収容される。消音材７は、固定鉄心４の柱部４１に嵌合され固定鉄心４のフランジ部４２に抜止めされる変形のリング形に形成されてなるもので、固定鉄心４に嵌合取付けすることで全体の組立工作が面倒になるのを避けることができるようになっている。この消音材７は、固定鉄心４の柱部４１に嵌合されボビン２と固定鉄心４のフランジ部４２との間に挟持されるリング部７１と、１８０度の角度を介してリング部６１から台形に張出した２つの張出部７２と、張出部６２にそれぞれ穿孔された台形の係合孔７３と、張出部７２を避けてリング部７１から間欠的に傾斜して拡開するように突出した６つの片状部７４とからなる。この片状部７４の先端部分は、収容空間６から可動板５側に少しの長さＳで突出されていて（図１（Ａ）参照）可動板５の吸引動作により弾性変形して収容空間６の内部に退避される（図１（Ｂ）参照）ようになっている。【００２４】  なお、ボビン２には、固定鉄心４の柱部４１が挿通されるスリーブ２１の可動板４側の端部に設けられて消音材７に当接するフランジ２２に消音材７の係合孔７３と係合する台形の係合突起２３が設けられている。【００２５】  この形態によると、固定鉄心４に吸引され移動する可動板５が最初に消音材７の片状部７４に衝突する。衝突された消音材７の片状部７４は、可動板５に対して弾性で抵抗し可動板５の移動速度を減速させる。従って、固定鉄心４に吸引され移動する可動板５が減速されてヨーク３の開放端面３３（さらには、固定鉄心４のフランジ部４２）に静かに当接することになって、可動板５とヨーク３の開放端面３３（さらには、固定鉄心４のフランジ部４２）との衝突音が減衰される。【００２６】  このとき、消音材７のリング部７１��固定鉄心４の柱部４１に嵌合されボビン２と固定鉄心４のフランジ部４２との間に挟持されるとともに、消音材７の係合孔７３がボビン２の係合突起２３に係合されているため、衝突の衝撃による消音材７の位置ずれが防止される。従って、抵抗となる消音材７の弾性が有効に機能され、可動板５とヨーク３の開放端面３３（さらには、固定鉄心４のフランジ部４２）との衝突音が確実に減衰される。【００２７】  また、消音材７の片状部７４が非連続体の形状で６つが個別に大きな曲げ変形の弾性変形を生ずるため、抵抗となる消音材７の弾性が有効に機能され、可動板５とヨーク３の開放端面３３（さらには、固定鉄心４のフランジ部４２）との衝突音が確実に減衰される。【００２８】  弾性変形した消音材７の片状部７４は、可動板５に押されて収容空間６の内部に退避する。従って、固定鉄心４に吸引された可動板５は、障害物がなくヨーク３の開放端面３３（さらには、固定鉄心４のフランジ部４２）に確実に当接する。従って、可動板５の吸引による停止位置が固定されて変化することがないため、長期に高度の動作精度が維持されることになる。【００２９】  このとき、ヨーク３の開放端面３３が一定の間隔を介して並列されているため、可動板５の吸引による停止位置にかなりの精度をもたせることができるとともに、可動板５を２箇所で同時に当接させて無用の振動，共鳴音の発生を防止することができる。【００３０】  以上、図示した各例の外に、消音材７の片状部７４をより多数の小片形からなるものとすることも可能である。【００３１】  さらに、消音材７の片状部７４の収容空間５からの突出長を異ならせて段階的に弾性を機能させることも可能である。
【図面の簡単な説明】
【００３２】
【図１】  本発明に係るソレノイドを実施するための最良の形態の断面図であり、（Ａ）に可動板の非吸引状態が示され、（Ｂ）に可動板の吸引状態が示されている。
【図２】  図１（Ａ）の平面図である。
【図３】  図２の一部を切断した断面図である。
【図４】  図３の一部を切断した断面図であるである。
【図５】  図４の一部を除去した状態の図である。
【符号の説明】
【００３３】１            コイル
２            ボビン
２１          スリーブ
２２          フランジ
２３係合突起
３            ヨーク
３３          開放端面
４            固定鉄心
４１          柱部
４２          フランジ部
５            可動板
６            収容空間
７            消音材
７１          リング部
７２張出し部
７３台形の係合孔
７４          片状部
【図１】
0003932457.tif 000002
【図２】
0003932457.tif 000003
【図３】
0003932457.tif 000004
【図４】
0003932457.tif 000005
【図５】
0003932457.tif 000006